(57)【特許請求の範囲】
【請求項１】
装置本体にオプション機器を取付け可能な画像形成装置であって、あらかじめ追加オプション機器を取り付ける部位に対応する外装カバーの部分を、前記外装カバーに着脱可能な部分カバ−とし、
上記部分カバーが、上下あるいは左右方向の縁に上記部分カバーの表面から上記装置本体の奥行き方向へ伸びる部位を有し、
上記外装カバーの、上記部分カバーの取付け部位に、上記部分カバーを着脱可能な形状部分を少なくとも一つ有し、
上記部分カバーを、上記オプション機器の未装着時と装着時で、上下あるいは左右方向で逆方向に取り付け可能とし、
該部分カバーの上記装置本体への取り付け方によって、
上記オプション機器を上記装置本体に取り付ける時には上記装置本体に上記部分カバーと上記外装カバーによって上記両カバーの間に開口部を設けることができ、
上記オプション機器を上記装置本体に取り付けない時には、上記開口部を塞ぐことができることを特徴とする画像形成装置。
【請求項２】
上記部分カバーの奥行き方向へ伸びる部位が舌片状の部位であり、上記外装カバーの該舌片状の部位を嵌着可能な部分が、該外装カバーの表面から上記装置本体の奥行き方向へ伸びかつ上記部分カバーの上記舌片状の部位の形状に対応する舌片状の凹部であることを特徴とする請求項１の画像形成装置。
【発明の詳細な説明】
【０００１】
【発明の属する技術分野】
本発明は複写機、プリンタ、ファクシミリ等やそれらの複合機等の画像形成装置に関し、特に装置本体にオプション機器を後から取り付け可能なものに関する。
【０００２】
【従来の技術及び発明が解決しようとする課題】
装置本体にオプション機器を後から取り付け可能な画像形成装置のカバー構造については従来より種々の提案がなされており、例えば特開平１０−１３３４４３号公報に開示の画像形成装置では、外装カバーの装置本体のオプション取り付け部に切り取り部を設け、オプション機器を取り付けるときには、その切り取り部を切り取って外装カバーに取り付け用の開口を明け、切り取った部分にあらかじめフック形状やペントレイとなり得る形状等の独立機能を発揮できる形状を持たせ、切り取った部分を廃棄しなくても済むようにし、省資源とゴミの削減を図れるようにしている。
【０００３】
ところが、オプション取り付け用に外装カバーの一部にミシン目状等の切れ目を入れておき、オプション機器の後付け用に切れ目部分から切り落としてしまうと、その後は上述のような別機能品として利用する程度しかなく、再生は不可能であり、しかも取り外した際に紛失しやすく、したがって保管の点で問題があり、またいったん取り付けたオプション機器を後日に撤去するようになってしまった場合、切り取り部分を外観をあまり損なわずに覆うことができなくなってしまうという問題があった。
【０００４】
本発明に係る画像形成装置は、上記従来の問題点にかんがみてなしたもので、部分カバーを採用するものではあるが、オプション機器の取り付けの有無にかかわらず部分カバ−を破棄することなく使用可能とし、したがって紛失のおそれがなく、また安全上や外観上からも必要十分な外装カバーの構成とすることができるようにしたものを提供することを目的とする。
【０００５】
【課題を解決するための手段】
本発明の請求項１に係る画像形成装置は、上記目的を達成するために、装置本体にオプション機器を取付け可能な画像形成装置であって、あらかじめ追加オプション機器を取り付ける部位に対応する外装カバーの部分を、前記外装カバーに着脱可能な部分カバ−とし、上記部分カバーが、上下あるいは左右方向の縁に上記部分カバーの表面から上記装置本体の奥行き方向へ伸びる部位を有し、上記外装カバーの、上記部分カバーの取付け部位に、上記部分カバーを着脱可能な形状部分を少なくとも一つ有し、上記部分カバーを、上記オプション機器の未装着時と装着時で、上下あるいは左右方向で逆方向に取り付け可能とし、該部分カバーの上記装置本体への取り付け方によって、上記オプション機器を上記装置本体に取り付ける時には上記装置本体に上記部分カバーと上記外装カバーによって上記両カバーの間に開口部を設けることができ、上記オプション機器を上記装置本体に取り付けない時には、上記開口部を塞ぐことができることを特徴とする。
【０００６】
同請求項２に係るものは、請求項１の画像形成装置において、上記部分カバーの奥行き方向へ伸びる部位が舌片状の部位であり、上記外装カバーの該舌片状の部位を嵌着可能な部分が、該外装カバーの表面から上記装置本体の奥行き方向へ伸びかつ上記部分カバーの上記舌片状の部位の形状に対応する舌片状の凹部であることを特徴とする。
【０００８】
【発明の実施の形態】
以下本発明の実施の形態を図面を参照して説明する。
図１は、本発明に係る画像形成装置の一実施形態の装置本体１を、オプション装置である給紙バンク２上にセットする状態を示す正面側斜視図である。また図２は、図１の装置本体１及び給紙バンク２のコネクタ付近を背面側から見た斜視図である。
【０００９】
図中３は部分カバーで、ネジ４で装置本体１の背面側の外装カバー５の所要部位に取り付けてある。この部分カバー３の内側近傍に、給紙バンク２を後から取り付けた場合にハーネス７を接続するコネクタ６が設けてある。
【００１０】
部分カバー３は、上下方向の一方の縁に装置本体１の奥行き方向へ突出する舌片部３ａが設けてあり、給紙バンク２を未装着の標準状態では、図２と上下逆にして外装カバー５に取り付け、外装カバー５の対応部位に設けた切り欠き部５ａを舌片部３ａでふさぐようになっている。
【００１１】
そして給紙バンク２を、既に使用中の装置本体１に後付けのオプション機器として組み合わせる際には、装置本体１上に給紙バンク２を載せた後、装置本体１の背面側等の所要の部位に設けた部分カバ−３を取り外し、その後で給紙バンク２内からハーネス７を取り出し、ハーネス７のコネクタ７ａを装置本体１側のコネクタ６等の所定の位置、部位、機器に差し込む。これによって装置本体１と給紙バンク２が電気的に接続するので、その後、部分カバ−３を図２の状態として外装カバー５に再セットし、ネジ４で締結する。この際、舌片部３ａを切り欠き部５ａに入れない状態となるので、切り欠き部５ａが装置本体１内へのハーネスの導入口となり、ハーネス７が部分カバー３の取り付けに干渉することはない。もちろん、この状態では舌片部３ａが装置本体１内へ突出するので、内部の機器と干渉しないように構成しておく必要がある。
【００１２】
【発明の効果】
本発明に係る画像形成装置は、以上説明してきたように、あらかじめ追加オプション機器を取り付ける部位に対応する外装カバーの一部を着脱可能な部分カバ−とし、この部分カバーの装置本体への取り付け方によって、オプション機器を装置本体に取り付ける時には装置本体に部分カバーと外装カバーによって、両カバーの間に開口部を設けることができ、オプション機器を装置本体に取り付けない時には、開口部を塞ぐことができるようにしたので、オプション機器を後から装着する場合に、装置本体の大きなカバ−を取り外す必要が無く、作業性がよくなることはもちろん、部分カバーをオプション機器の装着、未装着にかかわらず常に装置本体に取り付けておけるので、部分カバーを取り外して破棄してしまったり、また紛失したりするおそれもなくなり、したがって安全上や外観上も必要十分なカバー構成とすることができるという効果がある。
【図面の簡単な説明】
【図１】本発明に係る画像形成装置の一実施形態を示す正面側斜視図である。
【図２】本発明に係る画像形成装置の一実施形態を示す背面側拡大斜視図である。
【符号の説明】
１  装置本体
２  給紙バンク
３  部分カバー
３ａ  舌片部
４  ネジ
５  外装カバー
５ａ  切り欠き部
６  コネクタ
７  ハーネス
７ａ  ハーネスのコネクタ
【図１】
0003807866.tif 000002
【図２】
0003807866.tif 000003